(57)【特許請求の範囲】
【請求項１】
ディスプレイ画面に作成文書を表示し、ディスプレイ画面をポイントするポインティング手段の指示に従って、その作成文書の編集処理を実行する文書処理装置において、
文書領域の排他的獲得要求が発行されたのか否かを検出する検出手段と、
該検出手段が文書領域の排他的獲得要求の発行を検出するときに、該ポインティング手段の区画する領域に文書を持たない文書領域を設定する設定手段と、
該設定手段の設定する文書領域により排除される文書を、データサイズ又はデータ間隔を調整しつつ、文書連携先の文書領域に移動する移動手段と、
該設定手段の設定する文書領域により領域変動を受けて前記移動される文書領域の文書のデータサイズ又はデータ間隔を、該設定手段の設定する文書領域との位置関係により移動されない方向には領域変動前を維持しつつ、移動される方向には縮小して該移動変動に整合させて調整する調整手段とを備え、
該設定手段の設定する文書領域及び該領域変動を受けて移動される文書領域は、共に該領域変動にかかわらず該ディスプレイ画面に表示されることを特徴とする、文書処理装置。
【請求項２】
ディスプレイ画面に作成文書を表示し、ディスプレイ画面をポイントするポインティング手段の指示に従って、その作成文書の編集処理を実行する文書処理方法において、
文書領域の排他的獲得要求が発行されたのか否かを検出する検出ステップと、
該検出ステップが文書領域の排他的獲得要求の発行を検出するときに、該ポインティング手段の区画する領域に文書を持たない文書領域を設定する設定ステップと、
該設定ステップの設定する文書領域により排除される文書を、データサイズ又はデータ間隔を調整しつつ、文書連携先の文書領域に移動する移動ステップと、
該設定ステップの設定する文書領域により領域変動を受けて前記移動される文書領域の文書のデータサイズ又はデータ間隔を、該設定ステップの設定する文書領域との位置関係により移動されない方向には領域変動前を維持しつつ、移動される方向には縮小して該移動変動に整合させて調整する調整ステップとを含み、
該設定ステップで設定された文書領域及び該領域変動を受けて移動される文書領域は、共に該領域変動にかかわらず該ディスプレイ画面に表示されることを特徴とする、文書処理方法。
【発明の詳細な説明】
【０００１】
【発明の属する技術分野】
本発明は、作成文書の編集処理を実行する文書処理装置及び記憶媒体に関し、特に、作成文書に対して自在な形態で文書を追加できるようにする文書処理装置及びそのような文書処理を可能とするプログラムを格納した記憶媒体に関する。
【０００２】
文書処理装置では、文書を作成していく場合に、ユーザが作成文書に文書を追加していくことを要求することがあるので、このような要求に対応できる構成を持つ必要がある。
【０００３】
【従来の技術】
従来の文書処理装置では、予め文書領域を規定する構成を採って、その規定する文書領域に、入力される文書を展開していくことで文書を作成していくという構成を採っている。
【０００４】
そして、ユーザから作成文書に対する文書の追加要求があると、追加先の文書位置を指定させるとともに、追加対象の文書を入力させてから、作成文書の文字サイズや、作成文書の文書領域を変更することなく、作成文書の文字サイズと同一サイズに従って、その入力される文書を指定される文書位置に挿入していくことで追加するという構成を採っていた。
【０００５】
すなわち、「「あんたの髪は刈らなきゃいかんな」と帽子屋が言った。」という作成文書に対して、「髪は」と「刈らなきゃ」との間に「短く」という文書を追加させるときには、図１５に示すように、その追加先の文書位置を指定させてから、その「短く」という文書を入力させ、作成文書の文字サイズや、図中の破線で示される作成文書の文書領域を変更することなく、作成文書の文字サイズと同一サイズに従って、その入力される「短く」という文書を、指定される文書位置である「髪は」と「刈らなきゃ」との間に挿入していくことで追加するという構成を採っていたのである。
【０００６】
【発明が解決しようとする課題】
しかしながら、このような従来技術に従っていると、作成文書に対して、固定の追加形態に従って文書を追加していくことから、自在な形態で文書を追加できないという問題点があった。
【０００７】
特に、ハンディタイプのメモ装置のような文書処理装置を中心にして、手書きデータ入力装置を備える構成を採って、その手書きデータ入力装置から入力される手書きデータを使って文書を作成していく構成を取るものが用いられるようになってきたが、このような文書処理装置では、ユーザが原稿に書き込む感覚で文書を作成していくことから、従来技術に従って文書を追加していくという構成を採っていると、ユーザの望むような文書を作成できないという問題点がある。
【０００８】
また、このような従来技術に従っていると、作成文書に対して校正が行われる場合に、その校正箇所が分からなくなってしまうという問題点もあった。
本発明はかかる事情に鑑みてなされたものであって、作成文書に対して自在な形態で文書を追加できるようにする新たな文書処理装置及び記憶媒体の提供を目的とする。
【０００９】
【課題を解決するための手段】
図１に本発明の原理構成を図示する。
図中、１は本発明を具備する文書処理装置であって、ディスプレイ画面を表示するディスプレイ手段２と、ディスプレイ画面をポイントするポインティング手段３と、文書を入力する文書入力手段４と、作成文書の編集処理を実行する文書編集手段５と、作成文書を展開する文書メモリ手段６とを備え、ディスプレイ画面に作成文書を表示する構成を採って、ポインティング手段３の指示に従って、その作成文書の編集処理を実行するものである。
【００１０】
本明細書で、「文書」とは、文字、記号、スペース、語、文章、図形等のうち少なくとも１つを含むデータを意味する。
文書編集手段５は、本発明を実現するために、第１の検出手段１０と、変更手段１１と、第１の調整手段１２と、第２の検出手段１３と、設定手段１４と、変更手段１５と、第２の調整手段１６と、第３の検出手段１７と、設定手段１８と、移動手段１９と、第３の調整手段２０と、第４の検出手段２１と、特定手段２２と、削除手段２３と、第４の調整手段２４とを備える。
【００１１】
第１の検出手段１０は、文書領域の変更要求が発行されたのか否かを検出する。変更手段１１は、第１の検出手段１０が文書領域の変更要求の発行を検出するときに、ポインティング手段３の指す文書領域を、ポインティング手段３の移動先の規定する領域に変更する。第１の調整手段１２は、変更手段１１の変更する文書領域により領域変動を受ける文書領域の文書のデータサイズ又はデータ間隔を、その領域変動に整合させて調整する。
【００１２】
第２の検出手段１３は、文書領域の獲得要求が発行されたのか否かを検出する。設定手段１４は、第２の検出手段１３が文書領域の獲得要求の発行を検出するときに、ポインティング手段３の区画する領域に文書領域を設定する。変更手段１５は、設定手段１４の設定する文書領域を、ポインティング手段３の移動先の規定する領域に変更する。第２の調整手段１６は、変更手段１５の変更する文書領域により領域変動を受ける文書領域の文書のデータサイズ又はデータ間隔を、その領域変動に整合させて調整する。
【００１３】
第３の検出手段１７は、文書領域の排他的獲得要求が発行されたのか否かを検出する。設定手段１８は、第３の検出手段１７が文書領域の排他的獲得要求の発行を検出するときに、ポインティング手段３の区画する領域に文書を持たない文書領域を設定する。移動手段１９は、設定手段１８の設定する文書領域により排除される文書を、データサイズ又はデータ間隔を調整しつつ、文書連係先の文書領域に移動する。第３の調整手段２０は、設定手段１８の設定する文書領域により領域変動を受ける文書領域の文書のデータサイズ又はデータ間隔を、その領域変動に整合させて調整する。
【００１４】
第４の検出手段２１は、文書の削除要求が発行されたのか否かを検出する。特定手段２２は、第４の検出手段２１が文書の削除要求の発行を検出するときに、ポインティング手段３の区画する領域を特定する。削除手段２３は、特定手段２２の特定する領域の文書を削除する。第４の調整手段２４は、特定手段２２の特定する領域を内包する文書領域の文書のデータサイズ又はデータ間隔を、削除手段２３の削除する文書量に整合させて調整する。
【００１５】
このように構成される本発明の文書処理装置１では、第１の検出手段１０が文書領域の変更要求の発行を検出すると、変更手段１１は、ポインティング手段３の指す文書領域を、ポインティング手段３の移動先の規定する領域に変更する。このとき、変更手段１１の変更する文書領域により領域変動を受ける文書領域が文書を持つときには、第１の調整手段１２は、その領域変動を受ける文書領域の文書のデータサイズ又はデータ間隔を、その領域変動に整合させて調整する。
【００１６】
このようにして、図２に示すように、ポインティング手段３の指す文書領域が、あたかもゴムのように伸びることになって、ユーザは、この伸びた文書領域に文書を追加できるようになる。
また、このように構成される本発明の文書処理装置１では、第２の検出手段１３が文書領域の獲得要求の発行を検出すると、設定手段１４は、ポインティング手段３の区画する領域に文書領域を設定し、これを受けて、変更手段１５は、設定手段１４の設定する文書領域を、ポインティング手段３の移動先の規定する領域に変更し、これを受けて、第２の調整手段１６は、変更手段１５の変更する文書領域により領域変動を受ける文書領域の文書のデータサイズ又はデータ間隔を、その領域変動に整合させて調整する。
【００１７】
このようにして、図３に示すように、ポインティング手段３の区画処理により設定された文書領域が、あたかもゴムのように他の文書領域の文書を縮小しつつ伸びることになって、ユーザは、この伸びた文書領域に文書を追加できるようになる。
【００１８】
また、このように構成される本発明の文書処理装置１では、第３の検出手段１７が文書領域の排他的獲得要求の発行を検出すると、設定手段１８は、ポインティング手段３の区画する領域に文書を持たない文書領域を設定し、これを受けて、移動手段１９は、設定手段１８の設定する文書領域により排除される文書を、データサイズ又はデータ間隔を調整しつつ、文書連係先の文書領域に移動するとともに、第３の調整手段２０は、設定手段１８の設定する文書領域により領域変動を受ける文書領域の文書のデータサイズ又はデータ間隔を、その領域変動に整合させて調整する。
【００１９】
このようにして、図４に示すように、ポインティング手段３の区画処理により設定された文書領域が、あたかも水面に落ちた油のように他の文書領域の文書を排除し縮小しつつ広がることになって、ユーザは、この新たに獲得された文書領域に文書を追加できるようになる。
【００２０】
また、このように構成される本発明の文書処理装置１では、第４の検出手段２１が文書の削除要求の発行を検出すると、特定手段２２は、ポインティング手段３の区画する領域を特定し、これを受けて、削除手段２３は、特定手段２２の特定する領域の文書を削除し、これを受けて、第４の調整手段２４は、特定手段２２の特定する領域を内包する文書領域の文書のデータサイズ又はデータ間隔を、削除手段２３の削除する文書量に整合させて調整する。
【００２１】
このようにして、図５に示すように、ポインティング手段３の区画処理により特定される領域の文書が削除され、その領域を内包する文書領域の残りの文書が、あたかもゴムのように伸びることになって、ユーザは、この隙間を持つ文書領域に文書を追加できるようになる。
【００２２】
このように、本発明の文書処理装置１では、作成文書に対して自在な形態で文書を追加できるようになり、ユーザの望む文書の作成が実現できるようになる。そして、作成文書に対して校正が行われる場合に、その校正箇所を明示できるようになる。
【００２３】
尚、本発明になる記憶媒体は、図１に示す文書編集手段５内の各種手段を有するプログラムを格納している。これにより、文書処理装置１は、記憶媒体に格納されたプログラムを実行することにより、上記の如き文書処理を行うこともできる。
【００２４】
【発明の実施の形態】
以下、実施の形態に従って本発明を詳細に説明する。
図６に、本発明の文書処理装置１の一実施例を図示する。
この図に示すように、本発明の文書処理装置１は、手書きデータ入力装置３０と、ディスプレイ装置３１と、ポイント装置３２と、文書作成機構３３と、入力バッファ３４と、画像メモリ３５と、作業メモリ３６と、領域管理テーブル３７と、記憶媒体３８ａ〜３８ｃのうち少なくとも１つとを備える。
【００２５】
本実施例では、記憶媒体３８ａ、３８ｂ、３８ｃは夫々ＲＯＭ、ＣＤ−ＲＯＭ、フロッピーディスクであるが、記憶媒体の種類はこれらに限定されるものではない。文書作成機構３３は、内部メモリと、記憶媒体３８ａ〜３８ｃのうち少なくとも１つから読み出されて内部メモリに格納されるプログラムに基づいて各種機能を実行する中央処理装置（ＣＰＵ）とを含む。
【００２６】
つまり、本発明は、本発明になる文書処理装置１の処理を行わせるためのプログラムを格納する記憶媒体３８ａ〜３８ｃ等の記憶媒体も包含する。本発明になる記憶媒体は、フロッピーディスク、光ディスク、ＣＤ−ＲＯＭや光磁気ディスク等のディスク、ＲＯＭ、ＲＡＭ、ＥＰＲＯＭ、ＥＥＰＲＯＭ、磁気又は光学カードに代表される、情報記憶が可能な記憶媒体からなる。
【００２７】
この手書きデータ入力装置３０は、入力単位に従いつつ、手書き文字や記号や図形（以下、手書きデータと称する）を生成し、更に、文書作成や文書編集のコマンドを発行する。ディスプレイ装置３１は、作成された文書を表示する。ポイント装置３２は、マウス等で構成されて、ディスプレイ画面をポイントすることで文書領域を設定する。
【００２８】
手書きデータ入力装置３０、ポイント装置３２及びディスプレイ装置３１としては、公知の構成のものを使用し得る。
文書作成機構３３は、手書きデータ入力装置３０の生成する手書きデータを受け取って文書を作成する。入力バッファ３４は、手書きデータ入力装置３０の生成する手書きデータの入力単位を一時的に格納する。画像メモリ３５は、作成された文書データを保存する。作業メモリ３６は、文書作成の作業域として用いられて、ディスプレイ画面に表示する文書データを格納する。領域管理テーブル３７は、文書領域の持つ各種情報を管理する。
【００２９】
この文書作成機構３３は、例えば、図７に示すように、手書きデータ入力装置３０の生成する手書きデータの入力単位を入力バッファ３４に一時的に格納し、それを規定の文字サイズに正規化しつつ作業メモリ３６に格納していくことで文書を作成していくことになる。
【００３０】
また、領域管理テーブル３７は、図８に示すように、ポイント装置３２により設定される文書領域の領域ＩＤと、その文書領域の領域データ（文書領域の起点位置及びサイズ）と、その文書領域の持つ属性（文字サイズ等）と、その文書領域に入力される文書データへのポインタ等を管理するものである。
【００３１】
次に、文書作成機構３３の実行する処理フローに従って、本発明を詳細に説明する。
文書作成機構３３は、ユーザから文書作成の要求が発行されると、図９の処理フローに示すように、先ず最初に、ステップＳＴ１で、ポイント装置３２のポイントするディスプレイ画面ＤＳ上の位置を検出することで文書領域ＤＲを設定するとともに、ユーザとの対話処理等に従ってその文書領域ＤＲの持つ属性を設定して、それらを領域管理テーブル３７に登録する。例えば、図１０の破線で示す位置に文書領域ＤＲを設定するとともに、その文書領域ＤＲに入力する文字サイズ等の属性を設定して、それらを領域管理テーブル３７に登録するのである。
【００３２】
続いて、ステップＳＴ２に進んで、手書きデータ入力装置３０の生成する手書きデータを受け取り、それを設定される文字サイズに正規化しつつ、設定される文書領域ＤＲ内部のカーソル位置の指す作業メモリ３６のメモリ域に展開することで文書を作成してディスプレイ画面ＤＳに表示するとともに、その入力した文書データへのポインタを領域管理テーブル３７に登録する。すなわち、図１０に示すように、手書きデータ入力装置３０の生成する手書きデータを受け取って、それを設定される文字サイズに正規化しつつ設定される文書領域ＤＲに入力していくことで文書を作成していくのである。
【００３３】
そして、この文書作成を終了すると、ステップＳＴ３に進んで、作業メモリ３６に展開される文書データと、領域管理テーブル３７に登録されるデータとを画像メモリ３５に格納することで、作成した文書を保存して処理を終了する。
このようにして、文書作成処理を実行していくときにあって、文書作成機構３３は、ユーザから文書領域ＤＲの変更要求が発行されると、図１１の処理フローに示すように、先ず最初に、ステップＳＴ１１で、ポイント装置３２のポイントする文書領域を特定することで、変更要求のある文書領域を特定する。
【００３４】
この特定処理は、領域管理テーブル３７に登録される領域データの中から、ポイント装置３２のポイントするものを検索することで実行されるものであり、この特定処理に従って、例えば、図２の上段の破線で示すような変更要求のある文書領域が特定されることになる。
【００３５】
続いて、ステップＳＴ１２で、ステップＳＴ１１で特定した文書領域を、ポイント装置３２のポイント移動先の規定する文書領域に拡大する。例えば、図２の下段に示すように、ステップＳＴ１１で特定した文書領域をポイント装置３２のポイント移動先に応答して拡大するのである。
【００３６】
続いて、ステップＳＴ１３で、領域管理テーブル３７に登録されるステップＳＴ１１で特定した文書領域の領域データを、ステップＳＴ１２で変更したものに更新するとともに、ステップＳＴ１２で拡大した文書領域により領域変動（領域の縮小）を受ける文書領域を特定して、領域管理テーブル３７に登録されるその特定した文書領域の領域データを領域変動に合わせて更新する。
【００３７】
続いて、ステップＳＴ１４で、領域管理テーブル３７を参照することで、その領域変動を受ける文書領域が文書データを持つのか否かを判断して、文書データを持たないときには、処理を終了し、文書データを持つときには、ステップＳＴ１５に進んで、その文書データを文書領域の領域変動に合わせて縮小してから処理を終了する。
【００３８】
このようにして、この図１１の処理フローに従って、ユーザは、図２に示すように、文書を入力した後に、その文書の文書領域を自由に拡大できるようになり、その拡大した領域に文書を追加できるようになる。
一方、文書作成機構３３は、ユーザから文書領域の獲得要求が発行されると、図１２の処理フローに示すように、先ず最初に、ステップＳＴ２１で、作成した文書の中から、ポイント装置３２の区画する領域に新たな文書領域を設定する。例えば、図３の上段の破線で示すような文書領域を設定するのである。
【００３９】
続いて、ステップＳＴ２２で、ステップＳＴ２１で設定した文書領域を含む文書領域を特定して、領域管理テーブル３７に登録されるその特定した文書領域の管理データを２つに分割し、その各々に新たな領域データを登録するとともに、その各々に文書データへのポインタを登録することで、ステップＳＴ２１で設定した文書領域を領域管理テーブル３７に登録する。
【００４０】
続いて、ステップＳＴ２３で、ステップＳＴ２１で設定した文書領域を、ポイント装置３２のポイント移動先の規定する文書領域に拡大する。例えば、図３の下段に示すように、ステップＳＴ２１で設定した文書領域をポイント装置３２のポイント移動先に応答して拡大するのである。
【００４１】
続いて、ステップＳＴ２４で、領域管理テーブル３７に登録されるステップＳＴ２１で設定した文書領域の領域データを、ステップＳＴ２３で変更したものに更新するとともに、ステップＳＴ２３で拡大した文書領域により領域変動（領域の縮小）を受ける文書領域を特定して、領域管理テーブル３７に登録されるその特定した文書領域の領域データを領域変動に合わせて更新する。
【００４２】
続いて、ステップＳＴ２５で、領域管理テーブル３７を参照することで、その領域変動を受ける文書領域の文書データを特定して、その文書データを文書領域の領域変動に合わせて縮小して処理を終了する。
このようにして、この図１２の処理フローに従って、ユーザは、図４に示すように、文書を入力した後に、その文書の持つ特定の文字の間を自由に拡大できるようになり、その拡大した領域に文書を追加できるようになる。
【００４３】
一方、文書作成機構３３は、ユーザから文書領域の排他的獲得要求が発行されると、図１３の処理フローに示すように、先ず最初に、ステップＳＴ３１で、作成した文書の中から、ポイント装置３２の区画する領域に新たな文書領域を設定する。例えば、図４の上段の破線で示すような文書領域を設定するのである。
【００４４】
続いて、ステップＳＴ３２で、領域管理テーブル３７にエントリーを開設して、そのエントリーにステップＳＴ３１で設定した文書領域の領域データを登録することで、その設定した文書領域を領域管理テーブル３７に登録する。なお、その設定した文書領域に、新たな属性を設定するときには、ステップＳＴ３１でその属性についても設定する構成を採って、それをこのエントリーに登録することになる。
【００４５】
続いて、ステップＳＴ３３で、ステップＳＴ３１で設定した文書領域により領域変動（領域の縮小）を受ける文書領域を特定して、領域管理テーブル３７に登録されるその特定した文書領域の領域データを領域変動に合わせて更新する。
続いて、ステップＳＴ３４で、ステップＳＴ３１で設定した文書領域の文書データを文書連係先の文書領域に移動する。この移動処理は、領域管理テーブル３７に登録される文書データへのポインタを張り替えることで行う。
【００４６】
続いて、ステップＳＴ３５で、領域管理テーブル３７を参照することで、その文書連係先の文書領域の文書データを特定して、その文書データをステップＳＴ３１で設定した文書領域による領域変動に合わせて縮小する。
続いて、ステップＳＴ３６で、領域管理テーブル３７を参照することで、ステップＳＴ３３で特定した領域変動を受ける文書領域の持つ文書データを特定して、その文書データを文書領域の領域変動に合わせて縮小して処理を終了する。
【００４７】
このようにして、この図１３の処理フローに従って、ユーザは、図４に示すように、文書を入力した後に、その文書の中に、文字の入力されていない文書領域を獲得できるようになり、その獲得した領域に文書を追加できるようになる。
一方、文書作成機構３３は、ユーザから文書の削除要求が発行されると、図１４の処理フローに示すように、先ず最初に、ステップＳＴ４１で、作成した文書の中から、ポイント装置３２の区画する領域を特定する。例えば、図５の上段の破線で示すような領域を設定するのである。
【００４８】
続いて、ステップＳＴ４２で、ステップＳＴ４１で特定した領域の文書データを削除する。続いて、ステップＳＴ４３で、ステップＳＴ４１で特定した領域を内包する文書領域を特定して、領域管理テーブル３７に登録されるその特定した文書領域のポインタ（文書データへのポインタ）を更新する。すなわち、ステップＳＴ４１での文書データの削除処理に対応させて、領域管理テーブル３７に登録れる文書データへのポインタを更新するのである。
【００４９】
続いて、ステップＳＴ４４で、ステップＳＴ４３で特定した文書領域の文書データのデータ間隔をデータ削除に合わせて広げて処理を終了する。
このようにして、この図１４の処理フローに従って、ユーザは、図５に示すように、文書を入力した後に、その文書の一部を削除することで、削除しない文書の間に文字入力を可能とする領域を獲得できるようになり、その獲得した領域に文書を追加できるようになる。
【００５０】
図示実施例について説明したが、本発明はこれに限られるものではない。例えば、実施例の中で、文書データのデータサイズを縮小する方法を開示した箇所については、文書データのデータ間隔を狭めるといった方法を採ることも可能であり、また、文書データのデータ間隔を広げる方法を開示した箇所については、文書データのデータサイズを拡大するといった方法を採ることも可能である。
【００５１】
また、実施例では、手書きデータを使って文書を作成していく構成を開示したが、キーボード装置から入力されるコードデータを使って文書を作成していく場合にもそのまま適用できるものである。
【００５２】
【発明の効果】
以上説明したように、本発明の文書処理装置及び記憶媒体によれば、作成文書に対して自在な形態で文書を追加できるようになり、ユーザの望む文書の作成が実現できるようになる。そして、作成文書に対して校正が行われる場合に、その校正箇所を明示できるようになる。
【図面の簡単な説明】
【図１】本発明の原理構成図である。
【図２】本発明の処理説明図である。
【図３】本発明の処理説明図である。
【図４】本発明の処理説明図である。
【図５】本発明の処理説明図である。
【図６】本発明の一実施例である。
【図７】文書作成処理の説明図である。
【図８】領域管理テーブルの説明図である。
【図９】文書作成機構の実行する処理フローである。
【図１０】文書作成処理の説明図である。
【図１１】文書作成機構の実行する処理フローである。
【図１２】文書作成機構の実行する処理フローである。
【図１３】文書作成機構の実行する処理フローである。
【図１４】文書作成機構の実行する処理フローである。
【図１５】従来技術の説明図である。
【符号の説明】
１  文書処理装置
２  ディスプレイ手段
３  ポインティング手段
４  文書入力手段
５  文書編集手段
６  文書メモリ手段
１０  第１の検出手段
１１  変更手段
１２  第１の調整手段
１３  第２の検出手段
１４  設定手段
１５  変更手段
１６  第２の調整手段
１７  第３の検出手段
１８  設定手段
１９  移動手段
２０  第３の調整手段
２１  第４の検出手段
２２  特定手段
２３  削除手段
２４  第４の調整手段
３３  文書作成機構
３８ａ〜３８ｃ  記憶媒体
【図１】
0003917693.tif 000002
【図２】
0003917693.tif 000003
【図３】
0003917693.tif 000004
【図４】
0003917693.tif 000005
【図５】
0003917693.tif 000006
【図６】
0003917693.tif 000007
【図７】
0003917693.tif 000008
【図８】
0003917693.tif 000009
【図９】
0003917693.tif 000010
【図１０】
0003917693.tif 000011
【図１１】
0003917693.tif 000012
【図１２】
0003917693.tif 000013
【図１３】
0003917693.tif 000014
【図１４】
0003917693.tif 000015
【図１５】
0003917693.tif 000016